(57)【要約】【課題】  本願発明は、きれいな姿で旅立ちたいという、主に女性の気持ちを満足させると同時に、生前に縁のある洋服や着物の生地を用いて製作することにより、見送られる者と見送る者との思い出を共有した仏衣を提供し、より親族や友人らの心情に寄り添った葬儀を可能とするものである。【解決手段】  仏衣１０は、正面において、袖を有したワンピース型ドレスの形態を有しており、背面において、左後身頃と右後身頃とが左右に開閉し、前記左後身頃と前記右後身頃とを上下で重ね合わせることができることを特徴とする。【選択図】  図１
2013153787.tif 000002
【特許請求の範囲】
【請求項１】
正面において、袖を有したワンピース型ドレスの形態を有しており、
背面において、左後身頃と右後身頃とが左右に開閉し、
前記左後身頃と前記右後身頃とを上下で重ね合わせることができることを特徴とする仏衣。
【請求項２】
左右の後見頃のうち一方の内側に任意の間隔で面ファスナーを備え、
同一間隔で他方の後見頃の外側に、前記後身頃の内側に設けられた面ファスナーと対となる、面ファスナーを備えたことを特徴とする請求項１記載の仏衣。
【請求項３】
腰部分において縫製した帯紐を有し、正面の任意の位置で、前記帯紐を結ぶことを特徴とする請求項１又は請求項２記載の仏衣。
【請求項４】
左右の胸部分において、前身頃裏にパッド入れを設けたことを特徴とする請求項１乃至請求項３記載のいずれかに記載の仏衣。
【請求項５】
左右の袖部分において、両手を組合せた際に、手を覆い隠すことができる長さを有した、肌隠し袖装飾が縫製されていることを特徴とする請求項１乃至請求項４記載のいずれかに記載の仏衣。
【請求項６】
襟部分において、首部分を覆い隠すことができる長さを有した、肌隠し襟装飾が縫製されていることを特徴とする請求項１乃至請求項５記載のいずれかに記載の仏衣。
【発明の詳細な説明】
【技術分野】
【０００１】
本願発明は、着脱を安易にし、見栄えを良くした仏衣（特に女性向け）に関するものである。
【背景技術】
【０００２】
従来、仏衣としては和装が主流である（特許文献１等参照）。しかし、仏衣を着衣させるには、複数の人出が必要である。また、服の構造上、着衣者（仏衣を着用する者、おもに遺体）を左右に何度も動かさなければならず、着衣させる者に体力的な負担をかけている。さらに、前開きであることがほとんどであるため、身なりを整えるのに細かい神経を使うことになる。
【先行技術文献】
【特許文献】
【０００３】
【特許文献１】特開平７−１７８１３８号公報
【発明の概要】
【発明が解決しようとする課題】
【０００４】
洋装のうち、特に女性はワンピース等のドレス形態を好む傾向にあるが、一般的にドレスは、身幅にフィットする、ゆとり幅の少ないデザインである。また、ファスナーやボタンなど、着衣に際して、細かい作業を必要とする部材を衣服に用いているため、他人に着衣させるには手間のかかる構造となっている。このような状況の下、本願発明の目的は、着衣させやすく、かつ見栄えがし、ドレスの形態を有した仏衣を提供することにある。
【課題を解決するための手段】
【０００５】
（第１の発明）
本願発明における第１の発明は、正面において、袖を有したワンピース型ドレスの形態を有しており、背面において、左後身頃と右後身頃とが左右に開閉し、前記左後身頃と前記右後身頃とを上下で重ね合わせることができることを特徴とする仏衣に係る。
（用語説明）
「前身頃」とは、衣服の前部の身頃をいう。
「後身頃」とは、衣服の身頃のうちで背の部分をいう。
「仏衣」とは、仏が着る、または着た袈裟のことをいう。死装束ともいう。
（作用）
着衣者を仰向けにした状態で、着衣者を覆うように仏衣を広げてのせ、片腕ずつ左右の袖を通す。その後、着衣者を一度、左右いずれか一方へ横向けにし、後身頃を背側に入れ、他方の後身頃も同様に背側に入れたところで、左右の後身ごろ重ね合わせ、仰向けに戻す。このようにして、着衣者は、正面から見ると、ドレスを着た状態となる。
棺に納められた着衣者は、一般的には、正面しか見られることはない。このため、本願発明者は、着衣させやすく、かつ、正面から見られた場合にきちんとした正装をしており、かつ、見栄えがする、本願発明を案出した。
（その他）
裾部分には、オーガンジーなどの素材を挟みこみ、裾部分を縫うことで、シルク地等の薄地である場合でも、裾ラインをきれいに出すことができる。
袖部は腕を折り曲げた際に、手を覆う程度まで長さを有した方が、見栄えがよい。
また、裾部分は、仰向けになった場合に足の甲が見える程度まで長さを有した方が、見栄えがよい。
本願発明品に使用する生地としては、無地白色のシルク地のほか、着物や洋服の生地を再利用してもよい。また、異素材を組合せてもよい。シルク地等の薄い生地を使用する場合は、芯地を用いると、よりきれいな形状とすることができる。
【０００６】
（第２の発明）
第２の発明は、左右の後見頃のうち一方の内側に任意の間隔で面ファスナーを備え、同一間隔で他方の後見頃の外側に、前記後身頃の内側に設けられた面ファスナーと対となる、面ファスナーを備える。
（用語の説明）
「面ファスナー」とは、鉤状とパイル状の表面を持つ２枚一組からなり、重なり合わせて止めるテープをいう。
（作用）
左右の後身頃に備えられた面ファスナーを接着させることで、着衣者を運搬や移送した際においても、後身頃の重ね合わせた状態をきれいに維持することができる。
また、着衣時に面ファスナーを用いることで、面ファスナーによる接着部分が固定され、その後の着衣がスムーズなる。
（その他）
なお、接着部材としては、その他ボタン、フック、ファスナーなどを用いてもよい。
しかし、葬儀用には難燃物や不燃物は用いることができないため、金物（金属）は使用できない。この点、ナイロン材やポリエステル材からなる面ファスナーは、焼却することができる。また、面ファスナーは、面で接着することができ、細かい作業を必要としないため、着衣させる者が容易に接着することができる。このため、接着部材として最適である。
また、帯紐を用いて、着衣者の腰部を一周以上させ、さらに着崩れを防止してもよい。
左右後身頃に、対になるスナップボタンを取り付けてもよい。
【０００７】
（第３の発明）
第３の発明は、腰部分において、左前身頃と左後身頃とにより挟み込み、縫製した帯紐と、右前身頃と右後身頃とにより挟み込み、縫製した帯紐とを有し、前記帯紐を背面で交差させた後、正面の任意の位置で、前記帯紐を結ぶこともできる。
（用語の説明）
「帯紐」とは、着物の上から腰に巻いて結ぶ細長い布。リボンともいう。
（作用）
帯紐を背面で交差させた後、正面で結ぶことで、着崩れしにくくなる。また、正面において、例えば、蝶結びなどの結び方により結ぶことにより、見栄えを良くすることができる。
（その他）
本願発明は、着衣者本人や近親者が、生前に製作することで、着衣者等の満足した旅立ちを可能にするものであるが、製作後、病気を患った場合等は、短期間で体重の増減がしばしばおこる。しかし、そのような場合でも、帯紐により、身体へのフィット感を調整することができるため、安心して生前においても製作することができる。
独立した帯紐を用いた場合に比べて、着衣者を動かす回数を減らすことができるため、着衣させやすい。また、身頃に縫い付けられていることで、より着崩れしにくい。
帯紐の取り付け位置は、腰部にあたる。この場合、２つの帯紐は、腰の左右同位置に縫い付けるよりも、帯幅程度に多少、上下にずらして身頃に縫い付けた方が、２つの帯紐を結んだ際に収まりがよい。
また、帯紐は身頃に直接、縫い付けるほか、左右腰部の身頃に、帯紐通しとなるようなループ状の生地を縫い付け、そこに帯紐を通してもよい。
【０００８】
（第４の発明）
第４の発明は、前身頃の胸部には、前身頃裏の左右胸部分に、上方向に一定の幅の開口部を有するよう、布地を縫い付けたパッド入れが設けられている。
（用語の説明）
「パッド」とは、衣服の肩や胸などに入れ、体型を整える詰め物をいう。
（作用）
着衣者によっては、病気等で胸部が欠損している場合があり、この場合にパッド入れにパッドを入れることにより、女性らしい体型を表現することができ、見栄えを良くすることができる。また、パッド入れに、におい袋などを入れることで、消臭又は／及び芳香効果を得ることができる。
また、パッドを前身頃裏に直接、縫い付けてもよい。
【０００９】
（第５の発明）
第５の発明は、左右の袖部分において、両手を組合せた際に、手を覆い隠すことができる長さを有した、肌隠し袖装飾が縫製されている。
（作用）
左右の袖部に綿生地、例えばオーガンジーなどを縫製して肌隠し袖装飾とすることにより、腕から手首までに現れた処々の皮膚の現象、例えば、しみ、皺などを覆い隠すことができる。
綿生地にはレース素材などを用いることにより、より着衣者をきれいに装うことができる。
【００１０】
（第６の発明）
第６の発明は、襟部分において、首部分を覆い隠すことができる長さを有した、肌隠し襟装飾が縫製されている。
（作用）
襟部に綿生地、例えばオーガンジーなどを縫製して肌隠し襟装飾とすることにより、首元に現れた処々の皮膚の現象、例えば、皺などを覆い隠すことができる。
綿生地にはレース素材などを用いることにより、より着衣者をきれいに装うことができる。
【発明の効果】
【００１１】
本願発明によれば、以下のような効果を有する。
（１）着衣のために着衣者を動かす回数が大幅に減り、着衣させる者の体力的な負担を軽くする。また、これまで複数のもので着衣させていた場合であっても、一人で着衣させることができることとなり、人的コスト、引いては経済的コストを軽減することができる。
（２）正面はドレスの形態であるため、身だしなみという点で細かな配慮を必要とせず、着衣させることに慣れていない者等であっても、容易かつ、きれいに着衣させることができ、着衣させる者を選ばない。
（３）従来の暗いイメージを伴った仏衣とは異なる形態を有しているため、仏衣に対する一般的な抵抗感を和らげることができる。
（４）生前に亡くなった方が愛用していた衣服等（例えば、着物）の生地を再利用して製作することで、亡くなった方の思い出とともに、見送ることができるため、親族等の気持ちを癒すこともできる仏衣を提供することができる。
（５）一枚からなる仏衣であるので、複数のパーツからなる仏衣に比べ、在庫等の管理しやすい利点もある。
（６）本発明品は、四肢の不自由な者、例えば、筋力の衰えた高齢者であっても、着脱しやすく、着疲れしない、見栄えのする衣服を提供することができる。
【図面の簡単な説明】
【００１２】
【図１】本願発明の実施形態を示す説明写真（１）
【図２】本願発明の実施形態を示す説明写真（２）
【図３】本願発明の実施形態を示す説明写真（３）
【図４】本願発明の実施形態を示す説明写真（４）
【発明を実施するための形態】
【００１３】
以下、本願発明の実施形態を図面に基づいて説明する。
まず、図１に示す仏衣１０は、一枚仕立てのドレスと帯紐３１より構成されており、着用している状態においては、図１に示すように、正面からはワンピース型のドレス形態を有している。
背面からは、左右身頃が重ね合わされて、面ファスナーで接着され、後身頃２２が形成されている。
帯紐３１は、前身頃２１と後身頃２２とを縫い合わせる際、身頃腰部分の左右において数ｃｍ程度内側に挟みいれた状態で、前身頃２１と後身頃２２とともに縫製させたものである。
【００１４】
上記帯紐３１は、図２に示すように、まず背側で一度交差させ、正面に持ってくる。正面に持ってきた左右の帯紐３１は、図１に示すように、左右どちらか一方の腰部分において、蝶結びで留める。
【００１５】
袖口部分は、図３に示すように、着衣者の手元において、しみやしわなどの目立ちやすい手の甲や手首部分などを覆い隠すように、肌隠し袖装飾３３が縫い付けられている。
【００１６】
襟部分には、図４に示すように、着衣者の首元のしわなどが目立たないよう、肌隠し襟装飾３２が縫い付けられている。
【産業上の利用可能性】
【００１７】
昨今の葬儀においては、華美な祭壇により、亡くなった方への敬意を払うという表現方法から、生前の人柄を偲ぶような、思い出とともに見送るという表現方法へと変化している。
上記傾向において、本願発明は、きれいな姿で旅立ちたいという、主に女性の気持ちを満足させると同時に、生前に縁のある洋服や着物の生地を用いて製作することにより、見送られる者と見送る者との思い出を共有した仏衣を提供し、より親族や友人らの心情に寄り添った葬儀を可能とする。
【符号の説明】
【００１８】
１０・・・仏衣
２１・・・前身頃
２２・・・後身頃
３１・・・帯紐
３２・・・肌隠し襟装飾
３３・・・肌隠し袖装飾
【図１】
2013153787.tif 000003
【図２】
2013153787.tif 000004
【図３】
2013153787.tif 000005
【図４】
2013153787.tif 000006